(57)【特許請求の範囲】
【請求項１】
側方に張り出し該張り出し端を自由端とする頭部と、該頭部の基端から垂下する首部と、該首部の下端に連続し、くの字状に屈曲して上辺部と下辺部を有する屈曲部と、該屈曲部の下辺部の下端に連続し、上記首部と同一軸線上に延びる脚部とを備え、上記頭部が被固定部材の上部に係合すると共に上記屈曲部の上辺部が上記被固定部材の下部に係合することにより、上記被固定部材の上下動に追随することを特徴とするアンカーピン。
【請求項２】
上記屈曲部の上辺部の垂直方向に対する傾斜角度は、同屈曲部の下辺部の垂直方向に対する傾斜角度よりも大きいことを特徴とする請求項１記載のアンカーピン。
【請求項３】
上記頭部は自由端に向けて下り傾斜していることを特徴とする請求項１記載のアンカーピン。
【請求項４】
上記脚部に単数又は複数の凸部を設けることを特徴とする請求項１乃至請求項３の何れかに記載のアンカーピン。
【請求項５】
一本の線材で構成したことを特徴とする請求項１乃至請求項４の何れかに記載のアンカーピン。
【請求項６】
上記線材の断面が円形であることを特徴とする請求項５記載のアンカーピン。
【発明の詳細な説明】
【技術分野】
【０００１】
本発明は、例えばセメントモルタル製又はコンクリート製又はゴム製の覆工マット等の被固定部材を法面や平地等の地盤に多数敷き詰めて固定する場合に使用するアンカーピンに関する。
【背景技術】
【０００２】
この種アンカーピンにおいて、地盤に被固定部材をしっかりと固定するという第一義的役割を果たしたとしても、固定後に外因によって被固定部材が上下動した場合に、アンカーピンだけが突出した状態で取り残されてしまう問題点を有している。
【０００３】
すなわち、たとえば凍上（土中の水分が凍結して地盤が盛り上がる現象）が生じた場合には地盤自体が盛り上がるため、被固定部材が地盤ごと浮き上がり、該被固定部材の浮き上がりに伴いアンカーピンも浮き上がることとなるが、その後に凍結していた水分が解けて地盤の盛り上がりがなくなると、それに伴い被固定部材のみが下がり、アンカーピンだけが突出した状態で取り残されてしまう。
【０００４】
また、たとえば被固定部材上を人が歩行した場合に、アンカーピンから離れた部分（たとえばアンカーピン同士の間隔の中央付近）を踏み、当該部分が沈下したときには、その反動でアンカーピンの近傍部分がアンカーピンと共に持ち上がってしまい、その後、持ち上がった部分が下がるとアンカーピンのみが突出して取り残されてしまう。他方、アンカーピンの近傍部分を踏み、当該部分が沈下したときには、アンカーピンのみが突出して取り残されてしまう。
【０００５】
このように、被固定部材の上下動によりアンカーピンが突出してしまうと、歩行者の躓きの原因となる等、危険であり、さらには、徐々にアンカーピンの突出量が増大し、最悪の場合にはアンカーピンが抜け外れてしまう場合がある。
【０００６】
そこで、本願出願人は、下記特許文献１に示すように、被固定部材の浮き上がりと沈下、つまり被固定部材の上下動に敢えて追随するアンカーピンを開発済みである。当該アンカーピンは、頭部が被固定部材の上部に係合すると共に、脚部に設けた係合体が同被固定部材の下部に係合することにより、当該被固定部材の上下動に追随する。
【先行技術文献】
【特許文献】
【０００７】
【特許文献１】特許第６２０８１９７号公報
【発明の概要】
【発明が解決しようとする課題】
【０００８】
上記従来のアンカーピンにあっては、被固定部材の上下動に追随することができるため、凍上が生じて被固定部材が地盤と共に上昇した後に元に戻る場合でも、歩行荷重により被固定部材が沈下した場合や、沈下後に元に戻る場合でも、取り残されて地面から突出することなく、適切に被固定部材の固定状態を維持することができ、頗る好都合である。
【０００９】
しかしながら、上記従来のアンカーピンにおいては、被固定部材の下部に係合する係合体を拡開可能に又は螺旋状に脚部に設ける必要があり、当該係合体自体の構造や全体構造が複雑化すると共にコストが増加する嫌いがある。
【００１０】
したがって、被固定部材の上下動に追随する機能は有しながらも、より簡易構造でコストのかからないアンカーピンが切望されている。
【課題を解決するための手段】
【００１１】
本発明は、上述した従来のアンカーピンのように高機能な係合体を脚部に設けることを排し、加えて低コストで且つ簡便に構成できる構造とした、被固定部材の上下動に追随するアンカーピンを提供する。
【００１２】
要述すると、本発明に係るアンカーピンは、側方に張り出し該張り出し端を自由端とする頭部と、該頭部の基端から垂下する首部と、該首部の下端に連続し、くの字状に屈曲して上辺部と下辺部を有する屈曲部と、該屈曲部の下辺部の下端に連続し、上記首部と同一軸線上に延びる脚部とを備え、上記頭部が被固定部材の上部に係合すると共に上記屈曲部の上辺部が上記被固定部材の下部に係合することにより、上記被固定部材の上下動に追随することができるため、アンカーピンだけが突出した状態で取り残されることがない。
【００１３】
好ましくは、上記屈曲部の上辺部の垂直方向に対する傾斜角度は、同屈曲部の下辺部の垂直方向に対する傾斜角度よりも大きい構成とし、地盤への打ち込み時には下辺部がスムーズに被固定部材の貫通孔を通過すると共に、打ち込み後には上辺部が確実に被固定部材の下部に係合することができる。
【００１４】
また、上記頭部は自由端に向けて下り傾斜している構成とすることにより、当該頭部の自由端を確実に被固定部材の上部に係合することができる。
【００１５】
好ましくは、上記脚部に単数又は複数の凸部を設け、当該脚部の地盤内での埋設状態を安定化させると共に地盤からの抜け外れに対する抵抗力を付加することができる。
【００１６】
また、本発明に係るアンカーピンにあっては、一本の線材で構成すること、すなわち一本の線材を加工して、上記頭部、上記首部、上記屈曲部、上記脚部及び上記凸部を備えることができる。そのため、簡易構造且つコスト低廉なアンカーピンとなる。
【００１７】
上記線材の断面を円形とすることにより、被固定部材の固定に必要なせん断力や可撓性を担保することができる。
【発明の効果】
【００１８】
本発明に係るアンカーピンにあっては、従来のアンカーピンのように高機能な係合体を設けることを排し、低コストで且つ簡便に構成できる構造としながらも、被固定部材の上下動に的確に追随し、突出することなく適切に被固定部材の固定状態を維持することができる。
【図面の簡単な説明】
【００１９】
【図１】（Ａ）は本発明に係るアンカーピンの側面図、（Ｂ）は同正面図である。
【図２】（Ａ）は本発明に係るアンカーピンの他例を示す側面図、（Ｂ）は同正面図である。
【図３】（Ａ）乃至（Ｄ）は図２のアンカーピンの地盤への打ち込みの過程を順を追って説明する説明図である。
【図４】図３（Ｄ）の状態の拡大説明図である。
【図５】被固定部材を地盤に多数敷き詰め、アンカーピンで固定した状態を示す説明図である。
【図６】被固定部材のアンカーピン近傍部分及びアンカーピンが持ち上がった状態を示す断面図である。
【図７】被固定部材のアンカーピン近傍部分及びアンカーピンが沈下した状態を示す断面図である。
【発明を実施するための形態】
【００２０】
以下、本発明に係るアンカーピンの実施形態を図１乃至図７に基づき説明する。図１は本発明に係るアンカーピン１の第一例を、図２は同第二例を示している。
【００２１】
本発明に係るアンカーピン１は、図１，図２に示すように、基本構成として、側方に張り出し該張り出し端を自由端とする頭部２と、該頭部２の基端から垂下する首部３と、該首部３の下端に連続し、くの字状に屈曲して上辺部４ａと下辺部４ｂを有する屈曲部４と、該屈曲部４の下辺部４ｂの下端に連続し、首部３と同一軸線上に延びる脚部５とを備え、図３，図４に示すように、被固定部材Ｐに穿設した貫通孔１１を介して脚部５を地盤Ｇに打ち込み、頭部２と屈曲部４とで被固定部材Ｐを上下側から挾持して使用に供する。
【００２２】
具体的構成について説明すると、本発明に係るアンカーピン１において、屈曲部４は、上述したように、くの字状に屈曲して上辺部４ａと下辺部４ｂを有する構成となっているが、図１（Ａ），図２（Ａ）に示すように、屈曲部４の上辺部４ａの垂直方向に対する傾斜角度θ１は、同屈曲部４の下辺部４ｂの垂直方向に対する傾斜角度θ２よりも大きい構成とし、後述するように、地盤Ｇへの打ち込み時には下辺部４ｂがスムーズに被固定部材Ｐの貫通孔１１を通過すると共に、打ち込み後には上辺部４ａが確実に被固定部材Ｐの下部Ｐｂに係合することができる。
【００２３】
また、頭部２は、上述したように側方に張り出して、その一端を自由端とすると共に、首部３は当該頭部２の他端から垂下しており、垂直方向に延びている。そのため、頭部２と首部３で逆Ｌ字状を呈することとなるが、頭部２は水平方向ではなく、自由端に向かって下り傾斜するように構成することが望ましい。すなわち、図１（Ａ），図２（Ａ）に示すように、頭部２は水平方向に対して傾斜角度θ３をもって下り傾斜している。後述するように、頭部２の自由端を確実に被固定部材Ｐの上部Ｐａに係合することができるようにするためである。
【００２４】
また、脚部５は、図１の例のように、首部３と同一軸線上に真っ直ぐ延びる形状とすることができる。よって、ハンマー等により頭部２に加えられる打ち込み力が同一軸線上に配される首部３及び脚部５に適切に伝達される。
【００２５】
又は、脚部５に、図２の例のように、凸部６を設けることができる。該凸部６は単数でも複数でも良く、好ましくは既述した屈曲部４と同様の屈曲構成とし、地盤Ｇへの打ち込み作業をスムーズにする。このように、脚部５に凸部６を設けた場合、当該脚部５の地盤Ｇ内での埋設状態を安定化させると共に地盤Ｇからの抜け外れに対する抵抗力を付加することができる。なお、脚部５においては、凸部６以外の箇所は首部３と同一軸線上に配されることは勿論である。
【００２６】
また、脚部５の下端（先端）５ａは図１，図２のように、単なる棒状としても良いし、具体的には図示しないが、尖鋭状としても良い。
【００２７】
上記のとおりの構成を備える、本発明に係るアンカーピン１にあっては、金属製又は合成樹脂製の一本の線材で構成すること、すなわち一本の線材を曲げ加工して、上述した頭部２、首部３、屈曲部４、脚部５及び凸部６を備えることができる。そのため、簡易構造且つコスト低廉なアンカーピンとなる。なお、このように、アンカーピン１を一本の線材から構成する方が低コストで製造できるが、本発明にあっては、アンカーピン１を型枠等により成形して製造することを排除しない。
【００２８】
本発明のアンカーピン１を線材で構成する場合、好ましくは、当該線材の断面を円形とすることにより、被固定部材Ｐの固定に必要なせん断力や多方向への可撓性を担保することができる。ただし、当該線材の断面形状を楕円形、多角形等、円形以外のものとすることを排除しない。
【００２９】
また、好ましくは、図１（Ａ），図２（Ａ）に示すように、頭部２の張り出し方向、屈曲部４の膨出方向、凸部６の膨出方向を同一方向とすれば、図１（Ｂ），図２（Ｂ）に示すように、正面側から見れば一直線形状とすることができ、打ち込み時の力の伝達が高効率となると共に、簡易且つコンパクトな構造にすることができる。
【００３０】
図３（Ａ）乃至図３（Ｄ）に示すように、本発明に係るアンカーピン１にあっては、脚部５の地盤Ｇへの打ち込み時には、脚部５の下端５ａ、凸部６、屈曲部４の下辺部４ｂの順で被固定部材Ｐの貫通孔１１を通過していく。特に、凸部６や屈曲部４の下辺部４ｂが貫通孔１１を通過する際には、アンカーピン１全体が撓みながら（しなりながら）、またその撓みの反動により揺動しながら、適切に打ち込み力を伝達しつつ貫通孔１１を通過する。
【００３１】
上述したように、屈曲部４の上辺部４ａの垂直方向に対する傾斜角度θ１は、同屈曲部４の下辺部４ｂの垂直方向に対する傾斜角度θ２よりも大きい構成とし、地盤Ｇへの打ち込み時には下辺部４ｂがスムーズに被固定部材Ｐの貫通孔１１を通過すると共に、打ち込み後には、図３（Ｄ），図４に示すように、上辺部４ａが確実に貫通孔１１の下縁、すなわち被固定部材Ｐの下部Ｐｂに係合することができる。当該上辺部４ａは、既述の如く、垂直方向に対して傾斜しているため、この傾斜した上辺部４ａが係合した被固定部材Ｐは垂直方向のみならず水平方向にも固定されることとなる。なお、図４においては、図２にて示したアンカーピン１に基づき図示しているが、図１に示したアンカーピン１を用いた場合も被固定部材Ｐとの係合は同様である。
【００３２】
加えて、頭部２は被固定部材Ｐの上部Ｐａに設けられた頭部係合用凹部１０に嵌合し、これにより頭部２が被固定部材Ｐの上部Ｐａに係合すると共に不用意に頭部２が被固定部材Ｐから突出しないようにする。この際には、頭部２は水平方向に対して傾斜角度θ３をもって下り傾斜しているため、当該頭部２の自由端を確実に被固定部材Ｐの上部Ｐａに係合することができる。なお、実施例においては、被固定部材Ｐに頭部係合用凹部１０を設け、アンカーピン１の頭部２を被固定部材Ｐの上部Ｐａに直接係合する場合について説明したが、本発明においてはこれに限らず、既知のワッシャーを介してアンカーピン１の頭部２を被固定部材Ｐの上部Ｐａに間接的に係合することを包含する。
【００３３】
上記のように、本発明に係るアンカーピン１にあっては、簡易構造ながらも、頭部２が被固定部材Ｐの上部Ｐａに確実に係合すると共に、屈曲部４の上辺部４ａが被固定部材Ｐの下部Ｐｂに確実に係合することにより、当該被固定部材Ｐの上下動に追随し、突出することなく適切に被固定部材Ｐの固定状態を維持することができる。
【００３４】
次に本発明に係るアンカーピン１の実際の使用について説明する。なお、説明の便宜上、図６，図７においては、図２にて示したアンカーピン１に基づき図示しているが、図１に示したアンカーピン１も使用については同様である。
【００３５】
本発明に係るアンカーピン１は、図５に示すように、セメントモルタル製又はコンクリート製又はゴム製の覆工マット等のある程度の重量を有する被固定部材Ｐを法面や平地等の地盤Ｇに多数敷き詰めて固定する場合に使用するものであり、適度に間隔を置いて打ち込む。
【００３６】
既述の図４に示すように、平常時の地盤Ｇにおいては、アンカーピン１は、頭部２を被固定部材Ｐの上部Ｐａに設けた頭部係合用凹部１０に嵌合して該頭部２を被固定部材Ｐの上部Ｐａに係合すると共に、屈曲部４（上辺部４ａ）を被固定部材Ｐの下部Ｐｂに係合した状態で地盤Ｇに脚部５を打ち込まれている。
【００３７】
そして、たとえば凍上が生じて地盤Ｇが盛り上がったときには、地盤Ｇの盛り上がりと共に被固定部材Ｐが上動するが、図６に示すように、当該被固定部材Ｐの上部Ｐａと下部Ｐｂにそれぞれ係合する頭部２及び屈曲部４を介して、アンカーピン１が被固定部材Ｐの上動に追随する。
【００３８】
他方、図６の凍上が生じた状態が解除されると、盛り上がっていた地盤Ｇが元に戻ろうとするが、その際には被固定部材Ｐが沈下し、該被固定部材Ｐを上下側から挾持する頭部２及び屈曲部４を介してアンカーピン１が被固定部材Ｐの下動に追随し、図４に示す状態に戻る。
【００３９】
また、たとえば被固定部材Ｐ上を人が歩行した場合に、アンカーピン１から離れた部分（たとえば隣接するアンカーピン１間の間隔の中央付近）を踏み、当該部分が沈下したときには、図６に示すように、その反動でアンカーピン１の近傍部分（アンカーピン１の頭部２周囲の被固定部材Ｐ）がアンカーピン１と共に持ち上がってしまうが、当該被固定部材Ｐの上部Ｐａに係合する頭部２と、下部Ｐｂに係合する屈曲部４を介して、アンカーピン１が被固定部材Ｐの上動に追随する。
【００４０】
同じく、被固定部材Ｐ上を人が歩行した場合に、アンカーピン１の近傍部分を踏み、当該部分が沈下したときには、図７に示すように、当該被固定部材Ｐの上部Ｐａに係合する頭部２と、下部Ｐｂに係合する屈曲部４を介して、アンカーピン１が被固定部材Ｐの下動に追随するため、突出した状態で取り残されてしまうことはない。
【００４１】
以上のとおり、本発明にあっては、アンカーピン１は被固定部材Ｐの上動にも下動にも適切に追随し、当該アンカーピン１だけが取り残されて突出してしまうおそれがない。また。凍上とその解除や、歩行による沈下等が繰り返されたとしても、アンカーピン１は被固定部材Ｐの上下動に追随することを繰り返すのみであり、地盤Ｇから抜け外れてしまうおそれもない。
【符号の説明】
【００４２】
１…アンカーピン、２…頭部、３…首部、４…屈曲部、４ａ…上辺部、４ｂ…下辺部、
５…脚部、５ａ…下端、６…凸部、１０…頭部係合用凹部、１１…貫通孔、θ１…屈曲部の上辺部の垂直方向に対する傾斜角度、θ２…屈曲部の下辺部の垂直方向に対する傾斜角度、θ３…頭部の水平方向に対する傾斜角度、Ｐ…被固定部材、Ｐａ…被固定部材の上部、Ｐｂ…被固定部材の下部、Ｇ…地盤。
【要約】
【課題】  被固定部材の上下動に追随する機能は有しながらも、より簡易構造でコストのかからないアンカーピンの提供。
【解決手段】  本発明に係るアンカーピン１は、側方に張り出し該張り出し端を自由端をとする頭部２と、該頭部２の基端から垂下する首部３と、該首部３の下端に連続し、くの字状に屈曲して上辺部４ａと下辺部４ｂを有する屈曲部４と、該屈曲部４の下辺部の下端に連続し、上記首部３と同一軸線上に延びる脚部５とを備え、上記頭部２が被固定部材Ｐの上部Ｐａに係合すると共に上記屈曲部４の上辺部４ａが上記被固定部材Ｐの下部Ｐｂに係合することにより、上記被固定部材Ｐの上下動に追随することができるため、突出した状態で取り残されることがない。
【選択図】  図６【図１】
0006929576.tif 000002
【図２】
0006929576.tif 000003
【図３】
0006929576.tif 000004
【図４】
0006929576.tif 000005
【図５】
0006929576.tif 000006
【図６】
0006929576.tif 000007
【図７】
0006929576.tif 000008